(57)【特許請求の範囲】
【請求項１】
標本載置面に標本が載置されるステージと、前記ステージの標本載置面に対向配置される対物レンズと、前記ステージに対する前記対物レンズの対向位置及び前記ステージから前記対物レンズまでの距離が変更可能となる状態でこれらステージ及び対物レンズを相対移動可能に支持する顕微鏡本体と、第１操作部が操作された場合に前記ステージに対する前記対物レンズの対向位置を変更する第１電動アクチュエータと、第２操作部が操作された場合に前記ステージ及び前記対物レンズの相互間距離を変更する第２電動アクチュエータとを備えた顕微鏡において、
前記顕微鏡本体に対して着脱可能、かつ前記顕微鏡本体から取り外した状態において相互に連結可能となる第１ベース部材及び第２ベース部材を設け、前記第１操作部を前記第１ベース部材に設ける一方、前記第２操作部を前記第２ベース部材に設け、
前記第１ベース部材及び前記第２ベース部材は、互いに連結した場合にそれぞれの操作部が操作可能となる状態で一方が他方の上部に配置されるものであることを特徴とする顕微鏡。
【請求項２】
標本載置面に標本が載置されるステージと、前記ステージの標本載置面に対向配置される対物レンズと、前記ステージに対する前記対物レンズの対向位置及び前記ステージから前記対物レンズまでの距離が変更可能となる状態でこれらステージ及び対物レンズを相対移動可能に支持する顕微鏡本体と、第１操作部が操作された場合に前記ステージに対する前記対物レンズの対向位置を変更する第１電動アクチュエータと、第２操作部が操作された場合に前記ステージ及び前記対物レンズの相互間距離を変更する第２電動アクチュエータとを備えた顕微鏡において、
前記顕微鏡本体に対して着脱可能、かつ前記顕微鏡本体から取り外した状態において相互に連結可能となる第１ベース部材及び第２ベース部材を設け、前記第１操作部を前記第１ベース部材に設ける一方、前記第２操作部を前記第２ベース部材に設け、
前記第１ベース部材は、前記第１操作部が前記ステージから下方に突出する状態で設置面を介して前記ステージの下面に取り付けられる一方、前記ステージから取り外した場合には、前記第１操作部が上方に突出する状態で被設置面に設置されることを特徴とする顕微鏡。  
【請求項３】
標本載置面に標本が載置されるステージと、前記ステージの標本載置面に対向配置される対物レンズと、前記ステージに対する前記対物レンズの対向位置及び前記ステージから前記対物レンズまでの距離が変更可能となる状態でこれらステージ及び対物レンズを相対移動可能に支持する顕微鏡本体と、第１操作部が操作された場合に前記ステージに対する前記対物レンズの対向位置を変更する第１電動アクチュエータと、第２操作部が操作された場合に前記ステージ及び前記対物レンズの相互間距離を変更する第２電動アクチュエータとを備えた顕微鏡において、
前記顕微鏡本体に対して着脱可能、かつ前記顕微鏡本体から取り外した状態において相互に連結可能となる第１ベース部材及び第２ベース部材を設け、前記第１操作部を前記第１ベース部材に設ける一方、前記第２操作部を前記第２ベース部材に設け、
前記顕微鏡本体から取り外した状態において前記第１ベース部材に着脱可能に連結し、前記第１操作部が下方に突出する状態で前記第１ベース部材を被設置面に設置させるスタンドを備えたことを特徴とする顕微鏡。
【請求項４】
標本載置面に標本が載置されるステージと、前記ステージの標本載置面に対向配置される対物レンズと、前記ステージに対する前記対物レンズの対向位置及び前記ステージから前記対物レンズまでの距離が変更可能となる状態でこれらステージ及び対物レンズを相対移動可能に支持する顕微鏡本体と、第１操作部が操作された場合に前記ステージに対する前記対物レンズの対向位置を変更する第１電動アクチュエータと、第２操作部が操作された場合に前記ステージ及び前記対物レンズの相互間距離を変更する第２電動アクチュエータとを備えた顕微鏡において、
前記顕微鏡本体に対して着脱可能、かつ前記顕微鏡本体から取り外した状態において相互に連結可能となる第１ベース部材及び第２ベース部材を設け、前記第１操作部を前記第１ベース部材に設ける一方、前記第２操作部を前記第２ベース部材に設け、
前記第１ベース部材の設置面は、前記第１操作部の操作軸が被設置面に交差する状態で前記第１ベース部材を設置させる一方、前記第２ベース部材の設置面は、前記第２操作部の操作軸が被設置面に沿った状態で前記第２ベース部材を設置させるものであり、
前記第１ベース部材及び前記第２ベース部材は、それぞれの操作軸が互いに直交し、かつ設置面が互いに平行となる状態で相互に連結し、
前記第２ベース部材は、その上部に、前記第１操作部が下方に突出する状態で前記第１ベース部材を連結する連結部を備えることを特徴とする顕微鏡。  
【請求項５】
標本載置面に標本が載置されるステージと、前記ステージの標本載置面に対向配置される対物レンズと、前記ステージに対する前記対物レンズの対向位置及び前記ステージから前記対物レンズまでの距離が変更可能となる状態でこれらステージ及び対物レンズを相対移動可能に支持する顕微鏡本体と、第１操作部が操作された場合に前記ステージに対する前記対物レンズの対向位置を変更する第１電動アクチュエータと、第２操作部が操作された場合に前記ステージ及び前記対物レンズの相互間距離を変更する第２電動アクチュエータとを備えた顕微鏡において、
前記顕微鏡本体に対して着脱可能、かつ前記顕微鏡本体から取り外した状態において相互に連結可能となる第１ベース部材及び第２ベース部材を設け、前記第１操作部を前記第１ベース部材に設ける一方、前記第２操作部を前記第２ベース部材に設け、
前記第１ベース部材の設置面は、前記第１操作部の操作軸が被設置面に交差する状態で前記第１ベース部材を設置させる一方、前記第２ベース部材の設置面は、前記第２操作部の操作軸が被設置面に沿った状態で前記第２ベース部材を設置させるものであり、
前記第１ベース部材及び前記第２ベース部材は、それぞれの操作軸が互いに直交し、かつ設置面が互いに平行となる状態で相互に連結し、
前記第２ベース部材は、その下部に、前記第１操作部が上方に突出する状態で前記第１ベース部材を連結する連結部を備えることを特徴とする顕微鏡。
【請求項６】
標本載置面に標本が載置されるステージと、前記ステージの標本載置面に対向配置される対物レンズと、前記ステージに対する前記対物レンズの対向位置及び前記ステージから前記対物レンズまでの距離が変更可能となる状態でこれらステージ及び対物レンズを相対移動可能に支持する顕微鏡本体と、第１操作部が操作された場合に前記ステージに対する前記対物レンズの対向位置を変更する第１電動アクチュエータと、第２操作部が操作された場合に前記ステージ及び前記対物レンズの相互間距離を変更する第２電動アクチュエータとを備えた顕微鏡において、
前記顕微鏡本体に対して着脱可能、かつ前記顕微鏡本体から取り外した状態において相互に連結可能となる第１ベース部材及び第２ベース部材を設け、前記第１操作部を前記第１ベース部材に設ける一方、前記第２操作部を前記第２ベース部材に設け、
前記顕微鏡本体は、
前後方向に延在する下方基部と、
前記下方基部の後端部から上方に延在し、その前面に前記ステージを支持する支柱部と、
前記支柱部の上端部から前方に向けて延在し、その前端部に前記対物レンズを保持する上方アーム部とを有したものであり、
前記下方基部の前端部に前記第２ベース部材を着脱可能に保持する保持部を設けたことを特徴とする顕微鏡。
【請求項７】
標本載置面に標本が載置されるステージと、前記ステージの標本載置面に対向配置される対物レンズと、前記ステージに対する前記対物レンズの対向位置及び前記ステージから前記対物レンズまでの距離が変更可能となる状態でこれらステージ及び対物レンズを相対移動可能に支持する顕微鏡本体と、第１操作部が操作された場合に前記ステージに対する前記対物レンズの対向位置を変更する第１電動アクチュエータと、第２操作部が操作された場合に前記ステージ及び前記対物レンズの相互間距離を変更する第２電動アクチュエータとを備えた顕微鏡において、
前記顕微鏡本体に対して着脱可能、かつ前記顕微鏡本体から取り外した状態において相互に連結可能となる第１ベース部材及び第２ベース部材を設け、前記第１操作部を前記第１ベース部材に設ける一方、前記第２操作部を前記第２ベース部材に設け、
前記第２ベース部材は、互いに平行となる一対の操作部取付面を有し、かつ個々の操作部取付面に互いの操作軸が合致した状態で前記第２操作部が設けられ、
前記第２ベース部材は、前記一対の操作部取付面の間に基準前面を有したものであり、
前記顕微鏡本体が有する下方基部であって前後方向に延在する下方基部に設けた保持部は、前記基準前面を前方に露出させた状態で前記第２ベース部材を保持するものであることを特徴とする顕微鏡。
【請求項８】
前記第１操作部及び前記第２操作部は、それぞれ個別の操作軸回りに回転操作することによって対応する電動アクチュエータを動作させるものであり、
前記第１ベース部材及び前記第２ベース部材は、前記顕微鏡本体から取り外した場合にそれぞれの操作部が操作可能となる姿勢で任意の被設置面に設置するための設置面を有することを特徴とする請求項１〜７のいずれか一つに記載の顕微鏡。  
【請求項９】
前記第１ベース部材の設置面は、前記第１操作部の操作軸が被設置面に交差する状態で前記第１ベース部材を設置させる一方、前記第２ベース部材の設置面は、前記第２操作部の操作軸が被設置面に沿った状態で前記第２ベース部材を設置させるものであることを特徴とする請求項１〜３，６または７に記載の顕微鏡。  
【請求項１０】
前記顕微鏡本体から取り外した状態において前記第１ベース部材に着脱可能に連結し、前記第１操作部が下方に突出する状態で前記第１ベース部材を被設置面に設置させるスタンドを備えたことを特徴とする請求項２に記載の顕微鏡。 
【請求項１１】
前記第１ベース部材は、その一端部に前記第１操作部を備えるものであり、
前記第１ベース部材及び前記第２ベース部材は、前記基準前面を基準として前記第１操作部が一方の第２操作部に近接した第１連結姿勢と前記第１操作部が他方の第２操作部に近接した第２連結姿勢との２つの連結姿勢に切り替え可能であることを特徴とする請求項７に記載の顕微鏡。  
【請求項１２】
前記第２ベース部材に対して前記第２操作部を着脱可能に配設したことを特徴とする請求項７に記載の顕微鏡。  
【請求項１３】
前記第２ベース部材は、前記基準前面に所定の機能に対応した機能信号を出力する機能スイッチを備えたことを特徴とする請求項７または１１に記載の顕微鏡。
【発明の詳細な説明】
【技術分野】
【０００１】
本発明は、操作部の操作によって電動アクチュエータを駆動し、ステージと対物レンズとの位置調整を行う顕微鏡に関するものである。
【背景技術】
【０００２】
顕微鏡には、電動顕微鏡と称されるものが既に提供されている。この顕微鏡は、操作ハンドルの操作によって電動モータ等のアクチュエータを駆動し、ステージと対物レンズとの位置調整を行うようにしたものである。例えば、ＸＹハンドルを操作すると、その操作量に応じてＸＹ用電動モータが駆動し、顕微鏡本体に対してステージが水平方向に移動されることになり、ステージと対物レンズとの対向位置を調整することができる。また、Ｚハンドルを操作した場合には、その操作量に応じてＺ用電動モータが駆動し、顕微鏡本体に対してステージが上下方向に移動されることになり、ステージと対物レンズとの相互間距離を調整することができる。
【０００３】
この種の顕微鏡においては、操作ハンドルとしてエンコーダ等、操作信号を出力する機能を有したものを適用すれば良く、操作ハンドルを顕微鏡本体に配設しておく必要がない。このため、例えば特許文献１においては、ＸＹハンドル及びＺハンドルをそれぞれ顕微鏡本体に対して着脱可能に配設したものが記載されている。この顕微鏡によれば、ＸＹハンドル及びＺハンドルを顕微鏡本体から取り外した状態においてもステージと対物レンズとの位置調整を行うことができる。従って、例えば標本の画像をモニターに表示させた場合にも、モニターと顕微鏡との間を行き来することなくステージと対物レンズとの位置調整を行うことができ、その観察作業を容易に行うことが可能となる。
【先行技術文献】
【特許文献】
【０００４】
【特許文献１】独国特許出願公開第ＤＥ１０２００６０１０１０４Ａ１号明細書
【発明の概要】
【発明が解決しようとする課題】
【０００５】
特許文献１に記載された顕微鏡では、顕微鏡本体から取り外したＸＹハンドル及びＺハンドルをドックに装着し、ドックを介して顕微鏡本体に操作信号を送信するようにしている。従って、操作ハンドルを顕微鏡本体から取り外した場合には、ドックにＸＹハンドル及びＺハンドルが取り付けられることになる。この状態においては、ＸＹハンドルとＺハンドルとが近接した配置されることになり、両者を片手で操作する場合に好都合である。
【０００６】
しかしながら、ＸＹハンドルとＺハンドルとを両手で操作する場合には、逆に操作性が損なわれる恐れがある。ＸＹハンドルとＺハンドルとで個別のドックを用意すれば、操作性の問題を解決することはできる。しかしながら、個別のドックを用意した場合には、コストの面で新たな問題を招来することになる。しかも、上述したドックは、操作ハンドルを顕微鏡本体に取り付けた場合に不要となるものであり、その取り扱いもきわめて煩雑となる。
【０００７】
本発明は、上記に鑑みて、コストの増大や取り扱いの煩雑化を招来することなく、操作部を顕微鏡本体から取り外した状態での操作性を向上させることのできる顕微鏡を提供することを目的とする。
【課題を解決するための手段】
【０００８】
上記目的を達成するため、本発明に係る顕微鏡は、標本載置面に標本が載置されるステージと、前記ステージの標本載置面に対向配置される対物レンズと、前記ステージに対する前記対物レンズの対向位置及び前記ステージから前記対物レンズまでの距離が変更可能となる状態でこれらステージ及び対物レンズを相対移動可能に支持する顕微鏡本体と、第１操作部が操作された場合に前記ステージに対する前記対物レンズの対向位置を変更する第１電動アクチュエータと、第２操作部が操作された場合に前記ステージ及び前記対物レンズの相互間距離を変更する第２電動アクチュエータとを備えた顕微鏡において、前記顕微鏡本体に対して着脱可能、かつ前記顕微鏡本体から取り外した状態において相互に連結可能となる第１ベース部材及び第２ベース部材を設け、前記第１操作部を前記第１ベース部材に設ける一方、前記第２操作部を前記第２ベース部材に設け、前記第１ベース部材及び前記第２ベース部材は、互いに連結した場合にそれぞれの操作部が操作可能となる状態で一方が他方の上部に配置されるものであることを特徴とする。
【０００９】
また、本発明は、標本載置面に標本が載置されるステージと、前記ステージの標本載置面に対向配置される対物レンズと、前記ステージに対する前記対物レンズの対向位置及び前記ステージから前記対物レンズまでの距離が変更可能となる状態でこれらステージ及び対物レンズを相対移動可能に支持する顕微鏡本体と、第１操作部が操作された場合に前記ステージに対する前記対物レンズの対向位置を変更する第１電動アクチュエータと、第２操作部が操作された場合に前記ステージ及び前記対物レンズの相互間距離を変更する第２電動アクチュエータとを備えた顕微鏡において、前記顕微鏡本体に対して着脱可能、かつ前記顕微鏡本体から取り外した状態において相互に連結可能となる第１ベース部材及び第２ベース部材を設け、前記第１操作部を前記第１ベース部材に設ける一方、前記第２操作部を前記第２ベース部材に設け、前記第１ベース部材は、前記第１操作部が前記ステージから下方に突出する状態で設置面を介して前記ステージの下面に取り付けられる一方、前記ステージから取り外した場合には、前記第１操作部が上方に突出する状態で被設置面に設置されることを特徴とする。
【００１０】
また、本発明は、標本載置面に標本が載置されるステージと、前記ステージの標本載置面に対向配置される対物レンズと、前記ステージに対する前記対物レンズの対向位置及び前記ステージから前記対物レンズまでの距離が変更可能となる状態でこれらステージ及び対物レンズを相対移動可能に支持する顕微鏡本体と、第１操作部が操作された場合に前記ステージに対する前記対物レンズの対向位置を変更する第１電動アクチュエータと、第２操作部が操作された場合に前記ステージ及び前記対物レンズの相互間距離を変更する第２電動アクチュエータとを備えた顕微鏡において、前記顕微鏡本体に対して着脱可能、かつ前記顕微鏡本体から取り外した状態において相互に連結可能となる第１ベース部材及び第２ベース部材を設け、前記第１操作部を前記第１ベース部材に設ける一方、前記第２操作部を前記第２ベース部材に設け、前記顕微鏡本体から取り外した状態において前記第１ベース部材に着脱可能に連結し、前記第１操作部が下方に突出する状態で前記第１ベース部材を被設置面に設置させるスタンドを備えたことを特徴とする。
【００１１】
また、本発明は、標本載置面に標本が載置されるステージと、前記ステージの標本載置面に対向配置される対物レンズと、前記ステージに対する前記対物レンズの対向位置及び前記ステージから前記対物レンズまでの距離が変更可能となる状態でこれらステージ及び対物レンズを相対移動可能に支持する顕微鏡本体と、第１操作部が操作された場合に前記ステージに対する前記対物レンズの対向位置を変更する第１電動アクチュエータと、第２操作部が操作された場合に前記ステージ及び前記対物レンズの相互間距離を変更する第２電動アクチュエータとを備えた顕微鏡において、前記顕微鏡本体に対して着脱可能、かつ前記顕微鏡本体から取り外した状態において相互に連結可能となる第１ベース部材及び第２ベース部材を設け、前記第１操作部を前記第１ベース部材に設ける一方、前記第２操作部を前記第２ベース部材に設け、前記第１ベース部材の設置面は、前記第１操作部の操作軸が被設置面に交差する状態で前記第１ベース部材を設置させる一方、前記第２ベース部材の設置面は、前記第２操作部の操作軸が被設置面に沿った状態で前記第２ベース部材を設置させるものであり、前記第１ベース部材及び前記第２ベース部材は、それぞれの操作軸が互いに直交し、かつ設置面が互いに平行となる状態で相互に連結し、前記第２ベース部材は、その上部に、前記第１操作部が下方に突出する状態で前記第１ベース部材を連結する連結部を備えることを特徴とする。
【００１２】
また、本発明は、標本載置面に標本が載置されるステージと、前記ステージの標本載置面に対向配置される対物レンズと、前記ステージに対する前記対物レンズの対向位置及び前記ステージから前記対物レンズまでの距離が変更可能となる状態でこれらステージ及び対物レンズを相対移動可能に支持する顕微鏡本体と、第１操作部が操作された場合に前記ステージに対する前記対物レンズの対向位置を変更する第１電動アクチュエータと、第２操作部が操作された場合に前記ステージ及び前記対物レンズの相互間距離を変更する第２電動アクチュエータとを備えた顕微鏡において、前記顕微鏡本体に対して着脱可能、かつ前記顕微鏡本体から取り外した状態において相互に連結可能となる第１ベース部材及び第２ベース部材を設け、前記第１操作部を前記第１ベース部材に設ける一方、前記第２操作部を前記第２ベース部材に設け、前記第１ベース部材の設置面は、前記第１操作部の操作軸が被設置面に交差する状態で前記第１ベース部材を設置させる一方、前記第２ベース部材の設置面は、前記第２操作部の操作軸が被設置面に沿った状態で前記第２ベース部材を設置させるものであり、前記第１ベース部材及び前記第２ベース部材は、それぞれの操作軸が互いに直交し、かつ設置面が互いに平行となる状態で相互に連結し、前記第２ベース部材は、その下部に、前記第１操作部が上方に突出する状態で前記第１ベース部材を連結する連結部を備えることを特徴とする。
【００１３】
また、本発明は、標本載置面に標本が載置されるステージと、前記ステージの標本載置面に対向配置される対物レンズと、前記ステージに対する前記対物レンズの対向位置及び前記ステージから前記対物レンズまでの距離が変更可能となる状態でこれらステージ及び対物レンズを相対移動可能に支持する顕微鏡本体と、第１操作部が操作された場合に前記ステージに対する前記対物レンズの対向位置を変更する第１電動アクチュエータと、第２操作部が操作された場合に前記ステージ及び前記対物レンズの相互間距離を変更する第２電動アクチュエータとを備えた顕微鏡において、前記顕微鏡本体に対して着脱可能、かつ前記顕微鏡本体から取り外した状態において相互に連結可能となる第１ベース部材及び第２ベース部材を設け、前記第１操作部を前記第１ベース部材に設ける一方、前記第２操作部を前記第２ベース部材に設け、前記顕微鏡本体は、前後方向に延在する下方基部と、前記下方基部の後端部から上方に延在し、その前面に前記ステージを支持する支柱部と、前記支柱部の上端部から前方に向けて延在し、その前端部に前記対物レンズを保持する上方アーム部とを有したものであり、前記下方基部の前端部に前記第２ベース部材を着脱可能に保持する保持部を設けたことを特徴とする。
【００１４】
また、本発明は、標本載置面に標本が載置されるステージと、前記ステージの標本載置面に対向配置される対物レンズと、前記ステージに対する前記対物レンズの対向位置及び前記ステージから前記対物レンズまでの距離が変更可能となる状態でこれらステージ及び対物レンズを相対移動可能に支持する顕微鏡本体と、第１操作部が操作された場合に前記ステージに対する前記対物レンズの対向位置を変更する第１電動アクチュエータと、第２操作部が操作された場合に前記ステージ及び前記対物レンズの相互間距離を変更する第２電動アクチュエータとを備えた顕微鏡において、前記顕微鏡本体に対して着脱可能、かつ前記顕微鏡本体から取り外した状態において相互に連結可能となる第１ベース部材及び第２ベース部材を設け、前記第１操作部を前記第１ベース部材に設ける一方、前記第２操作部を前記第２ベース部材に設け、前記第２ベース部材は、互いに平行となる一対の操作部取付面を有し、かつ個々の操作部取付面に互いの操作軸が合致した状態で前記第２操作部が設けられ、前記第２ベース部材は、前記一対の操作部取付面の間に基準前面を有したものであり、前記顕微鏡本体が有する下方基部であって前後方向に延在する下方基部に設けた保持部は、前記基準前面を前方に露出させた状態で前記第２ベース部材を保持するものであることを特徴とする。
【００１５】
また、本発明は、上記発明において、前記第１操作部及び前記第２操作部は、それぞれ個別の操作軸回りに回転操作することによって対応する電動アクチュエータを動作させるものであり、前記第１ベース部材及び前記第２ベース部材は、前記顕微鏡本体から取り外した場合にそれぞれの操作部が操作可能となる姿勢で任意の被設置面に設置するための設置面を有することを特徴とする。
【００１６】
また、本発明は、上記発明において、前記第１ベース部材の設置面は、前記第１操作部の操作軸が被設置面に交差する状態で前記第１ベース部材を設置させる一方、前記第２ベース部材の設置面は、前記第２操作部の操作軸が被設置面に沿った状態で前記第２ベース部材を設置させるものであることを特徴とする。
【００１７】
また、本発明は、上記発明において、前記顕微鏡本体から取り外した状態において前記第１ベース部材に着脱可能に連結し、前記第１操作部が下方に突出する状態で前記第１ベース部材を被設置面に設置させるスタンドを備えたことを特徴とする。
【００１８】
また、本発明は、上記発明において、前記第１ベース部材は、その一端部に前記第１操作部を備えるものであり、前記第１ベース部材及び前記第２ベース部材は、前記基準前面を基準として前記第１操作部が一方の第２操作部に近接した第１連結姿勢と前記第１操作部が他方の第２操作部に近接した第２連結姿勢との２つの連結姿勢に切り替え可能であることを特徴とする。
【００１９】
また、本発明は、上記発明において、前記第２ベース部材に対して前記第２操作部を着脱可能に配設したことを特徴とする。
【００２０】
また、本発明は、上記発明において、前記第２ベース部材は、前記基準前面に所定の機能に対応した機能信号を出力する機能スイッチを備えたことを特徴とする。
【発明の効果】
【００２２】
本発明によれば、顕微鏡本体に対して個別に着脱可能、かつ顕微鏡本体から取り外した状態において相互に連結可能となる第１ベース部材及び第２ベース部材を設け、第１操作部を第１ベース部材に設ける一方、第２操作部を第２ベース部材に設けるようにしている。従って、別途ドック等の追加部品を要することなく顕微鏡本体から取り外した状態で操作部の操作が可能となる。しかも、第１ベース部材及び第２ベース部材は相互に連結可能であるため、コストの増大や取り扱いの煩雑化を招来することなく、片手での操作性及び両手での操作性を共に確保することができる。
【図面の簡単な説明】
【００２３】
【図１】図１は、本発明の実施の形態である顕微鏡の構成を示す一部破断側面図である。
【図２】図２は、図１に示した顕微鏡において顕微鏡本体から第１ベース部材及び第２ベース部材を取り外した状態を示す側面図である。
【図３】図３は、図１に示した顕微鏡に適用する第１ベース部材及び第１操作部の外観斜視図である。
【図４】図４は、図１に示した顕微鏡に適用する第２ベース部材及び第２操作部の外観斜視図である。
【図５】図５は、図１に示した顕微鏡の顕微鏡本体から取り外した第１ベース部材及び第２ベース部材を第１連結姿勢で互いに連結した状態を示す平面図である。
【図６−１】図６−１は、図１に示した顕微鏡の顕微鏡本体から取り外した第１ベース部材及び第２ベース部材を第１連結姿勢で互いに連結した状態を示す正面図である。
【図６−２】図６−２は、図１に示した顕微鏡の顕微鏡本体から取り外した第１ベース部材及び第２ベース部材を第２連結姿勢で互いに連結した状態を示す正面図である。
【図７】図７は、第１連結姿勢で連結した第１ベース部材及び第２ベース部材から一方の第２操作部を取り外した状態を示す平面図である。
【図８】図８は、図１に示した顕微鏡の顕微鏡本体から取り外した第１ベース部材及び第２ベース部材を第３連結姿勢で互いに連結した状態を示す正面図である。
【図９】図９は、図１に示した顕微鏡の顕微鏡本体から取り外した第１ベース部材をスタンドに連結させた状態を示す図である。
【図１０】図１０は、図１に示した顕微鏡の制御系を示すブロック図である。
【図１１】図１１は、図１に示した顕微鏡の第１の使用態様例を概念的に示す平面図である。
【図１２】図１２は、図１に示した顕微鏡の第２の使用態様例を概念的に示す平面図である。
【図１３】図１３は、図１に示した顕微鏡の第３の使用態様例を概念的に示す平面図である。
【図１４】図１４は、図１に示した顕微鏡の第４の使用態様例を概念的に示す平面図である。
【発明を実施するための形態】
【００２４】
以下、添付図面を参照しながら本発明に係る顕微鏡の好適な実施の形態について詳細に説明する。尚、以下においては便宜上、顕微鏡の左右方向をＸ軸方向、顕微鏡の前後方向のＹ軸方向、顕微鏡の上下方向をＺ軸方向として説明を行う場合がある。
【００２５】
図１及び図２は、本発明の実施の形態である顕微鏡を示したもので、特に、透過観察及び蛍光観察を切り替えて実施することのできる顕微鏡を例示している。顕微鏡の顕微鏡本体１０は、前後方向に延在する下方基部１１と、下方基部１１の後端部から上方に延在する支柱部１２と、支柱部１２の上端部から前方に向けて延在する上方アーム部１３と、支柱部１２の前面において下方基部１１と上方アーム部１３との間にステージホルダ１４を介して支持させたステージ１５とを有したもので、下方基部１１の下面に設けた複数のゴム足１６を介して載置台等の被載置面Ｍに載置させることが可能である。顕微鏡本体１０の下方基部１１には、その前端部に保持部１７が設けてある。保持部１７は、下方基部１１の前面、上面及び両側面に開口する直方状の凹所であり、最前端に設けたゴム足１６よりもさらに前方側となる部位に形成してある。この保持部１７は、その上面に嵌合突起１７ａを有している。嵌合突起１７ａは、下方基部１１の両側面間に渡る部位に設けた断面矩形状の凸状部であり、保持部１７の前後方向略中央部に設けてある。ステージ１５は、ステージホルダ１４の上面に平板状を成す標本載置部１８を配設して構成したものである。標本載置部１８は、ステージホルダ１４に対してＸ軸方向及びＹ軸方向に移動することが可能、かつステージホルダ１４と共に支柱部１２に対してＺ軸方向に移動することが可能である。図には明示していないが、ステージ１５及びステージホルダ１４には、標本の載置域となる部位に上下方向に沿って観察用開口が貫設してある。
【００２６】
上述した顕微鏡本体１０には、上方アーム部１３の前端部に対物レンズ２０及び観察ユニット３０が支持させてある。対物レンズ２０は、標本載置部１８の上面（標本載置面）１８ａに載置された標本Ｐに対向配置される光学要素である。本実施の形態では、互いに倍率の異なる複数の対物レンズ２０Ａ，２０Ｂがレボルバ２１を介して上方アーム部１３の下面に配設してある。レボルバ２１は、所定の軸心回りに回転可能に配設してあり、適宜回転することにより複数の対物レンズ２０Ａ，２０Ｂを標本Ｐに対して択一的に対向配置させることが可能である。
【００２７】
観察ユニット３０は、結像レンズ３１、プリズム３２及び接眼レンズ３３を備えて構成したもので、上方アーム部１３の前端部上面に配設してある。また、この観察ユニット３０には、結像レンズ３１によりプリズム３２を透過した標本像がテレビレンズ３４を介して結像されるＣＣＤ３５が設けてある。
【００２８】
この顕微鏡には、透過照明光学系４０及び落射照明光学系５０が設けてある。透過照明光学系４０は、透過観察を行うための光学要素であり、透過照明用光源４１からステージ１５の標本載置部１８に載置された標本Ｐの下面に至るまでの間に、コレクタレンズ４２、視野絞り４３、ミラー４４、窓レンズ４５、コンデンサ４００を順次配設することによって透過照明光路Ｌ１を構成している。透過照明用光源４１から出射された透過観察用の照明光は、コレクタレンズ４２、視野絞り４３、ミラー４４、窓レンズ４５、コンデンサ４００を順次通過し、標本Ｐに照射されて透過することになる。標本Ｐを透過した光は、対物レンズ２０、後述のダイクロイックミラー５０３を透過し、さらに観察ユニット３０の結像レンズ３１、プリズム３２を通過して結像され、接眼レンズ３３により目視、もしくはＣＣＤ３５を介して外部モニタＤ等の画面上で観察できるようになる。
【００２９】
これらの光学要素のうち、透過照明用光源４１、コレクタレンズ４２、視野絞り４３、ミラー４４及び窓レンズ４５は、顕微鏡本体１０の下方基部１１に配設してある。コンデンサ４００は、コンデンサホルダ４０１を介してステージホルダ１４に支持させてあり、ステージホルダ１４に対してＺ軸方向に移動することが可能である。本実施の形態では、微分干渉用プリズム４０２、コンデンサレンズ先玉４０３、第一群レンズ４０４、ポラライザ４０５を備えてコンデンサ４００を構成している。微分干渉用プリズム４０２は、対物レンズ２０の倍率に対応したものがコンデンサターレット４０６に複数用意してあり、コンデンサターレット４０６を所定の軸心回りに回転させることによって最適なものを択一的に透過照明光路Ｌ１に挿入することが可能である。コンデンサレンズ先玉４０３は、第一群レンズ４０４と共にコンデンサレンズを構成するもので、透過照明光路Ｌ１に対して挿入・待避することが可能である。ポラライザ４０５は、微分干渉用プリズム４０２に対応したものがポラライザターレット４０７に複数用意してあり、ポラライザターレット４０７を所定の軸心回りに回転させることによって最適なものを択一的に透過照明光路Ｌ１に挿入することが可能である。
【００３０】
落射照明光学系５０は、落射観察を行うための光学要素であり、蛍光照明用光源５１からステージ１５の標本載置部１８に載置された標本Ｐの上面に至るまでの間に、照明用レンズ５２、落射シャッタ５３、照明用レンズ５４、フィルタユニット５００を順次配設することによって落射照明光路Ｌ２を構成している。これらの光学要素のうち、蛍光照明用光源５１、照明用レンズ５２、落射シャッタ５３、照明用レンズ５４は、顕微鏡本体１０の上方アーム部１３に配設してあり、さらに、フィルタユニット５００は、観察側ターレット５０１を介して上方アーム部１３に支持させてある。フィルタユニット５００は、励起フィルタ５０２、ダイクロイックミラー５０３、バリアフィルタ５０４を備えて構成したもので、標本Ｐに染色された蛍光色素に対応したものが観察側ターレット５０１に複数用意してあり、観察側ターレット５０１を所定の軸心回りに回転させることによって最適なものを択一的に落射照明光路Ｌ２に挿入することが可能である。
【００３１】
蛍光照明用光源５１から出射した照明光は、照明用レンズ５２、落射シャッタ５３、照明用レンズ５４を透過し、励起フィルタ５０２により標本Ｐに染色された蛍光色素に必要な励起波長のみが透過される。透過された照明光は、ダイクロイックミラー５０３により対物レンズ２０に向けて反射され、対物レンズ２０を透過した後に標本Ｐに照射される。照明光が照射された標本Ｐからは、標本Ｐに染色された蛍光色素が励起されて蛍光が発せられる。この蛍光は、対物レンズ２０、ダイクロイックミラー５０３を透過し、バリアフィルタ５０４により観察に必要な蛍光波長のみが透過され、さらに観察ユニット３０の結像レンズ３１、プリズム３２を通過して結像され、接眼レンズ３３により目視、もしくはＣＣＤ３５を介して外部モニタＤ等の画面上で観察できるようになる。
【００３２】
一方、上記顕微鏡は、ＸＹベース部材（第１ベース部材）６０及びＺベース部材（第２ベース部材）７０を備えている。ＸＹベース部材６０は、図３に示すように、細幅の平板状を成すもので、顕微鏡本体１０の下方基部１１に設けた嵌合突起１７ａと同一の横断面形状を有するように構成してある。このＸＹベース部材６０には、その一端部上面にＸＹハンドル（第１操作部）６００が設けてある。ＸＹハンドル６００は、ステージホルダ１４に対して標本載置部１８をＸ軸方向及びＹ軸方向に沿って移動させるための円柱状を成す操作部であり、ＸＹ操作軸部材６０１の先端部に軸方向に沿って互いに並設してある。ＸＹ操作軸部材６０１の基端部側に配設したＸハンドル６００ａは、先端部側に配設したＹハンドル６００ｂよりも太径に形成してある。これらＸハンドル６００ａ及びＹハンドル６００ｂは、ＸＹ操作軸部材６０１の軸心回りに個別に回転可能であり、ＸＹ操作軸部材６０１に対して回転した場合、個々の回転方向及び回転量に応じた操作信号を、通信ケーブル６１を通じて後述の制御部１００に出力する。
【００３３】
また、ＸＹベース部材６０には、ＸＹハンドル６００を設けた端部の外周に一対の機能スイッチ６２が設けてある。機能スイッチ６２は、ＸＹハンドル６００の操作に関連した機能を実現するための押ボタンであり、ＸＹベース部材６０に対して押圧操作された場合に、通信ケーブル６１を通じて後述の制御部１００に機能信号を出力する。本実施の形態では、いずれか一方の機能スイッチ６２を押した状態でＸＹハンドル６００を操作した場合、後述の制御部１００においてＸＹハンドル６００の回転量を増大する処理、例えば回転量を２倍とする処理を実行するように設定してある。
【００３４】
このＸＹベース部材６０は、図２及び図３に示すように、設置面となる下面６０ａを介して載置台等の被載置面Ｍに設置した場合、ＸＹ操作軸部材６０１が鉛直上方に向いた姿勢で自立することが可能である。従って、この状態においては、ＸＹ操作軸部材６０１の上端部に配置されるＸＹハンドル６００を操作することができると共に、ＸＹベース部材６０に設けた機能スイッチ６２を操作することができる。また、図９に示すようなスタンド６１０を適用すれば、ＸＹ操作軸部材６０１が鉛直下方に向いた姿勢で自立させ、この状態でＸＹハンドル６００及び機能スイッチ６２を操作することができる。適用するスタンド６１０は、平板状を成すスタンドベース６１１と、スタンドベース６１１の一端部正面から上方に突出した円柱状の支持柱部６１２とを有し、支持柱部６１２の先端面６１２ａをＸＹベース部材６０の上面に連結されるものである。支持柱部６１２の軸方向に沿った寸法は、ＸＹベース部材６０からのＸＹハンドル６００の突出長さよりも大きく構成してあり、スタンドベース６１１は、ＸＹベース部材６０を転倒することなく支持できるように十分な底面積を有して構成してある。
【００３５】
これに対して、図１に示すように、ＸＹベース部材６０の下面６０ａをステージホルダ１４の下面に当接させた状態で両者間に図示せぬネジ等の取付手段を締結させれば、ＸＹベース部材６０をステージホルダ１４に連結された状態に維持することができる。この状態においては、ＸＹベース部材６０の一端部がステージホルダ１４の一方の側面から突出し、かつこの突出端部からＸＹ操作軸部材６０１が鉛直下方に向いた姿勢となる。この状態においても、図３に示す状態とは上下が逆ではあるが、ＸＹ操作軸部材６０１の下端部に配置されるＸＹハンドル６００を操作することができると共に、ＸＹベース部材６０に設けた機能スイッチ６２を操作することができる。尚、取付手段を弛緩させれば、再びステージホルダ１４からＸＹベース部材６０を取り外すことが可能である。
【００３６】
Ｚベース部材７０は、図４に示すように、直方体状のブロック状部材であり、顕微鏡本体１０の下方基部１１に設けた保持部１７と同一の横断面形状に構成してある。Ｚベース部材７０において互いに平行となる左右一対の側面（操作部取付面）７１の間の距離は、顕微鏡本体１０における下方基部１１の左右幅と同一の寸法であり、ＸＹベース部材６０の全長よりも短く構成してある。このＺベース部材７０には、左右一対の側面７１にそれぞれＺハンドル（第２操作部）７００が設けてある。Ｚハンドル７００は、顕微鏡本体１０に対してステージホルダ１４をＺ軸方向に沿って移動させるための円柱状を成す操作部であり、互いに軸心を合致させた状態でＺベース部材７０の側面に配設してある。本実施の形態では、太径の粗動ハンドル７００ａ及び細径の微動ハンドル７００ｂを共通の軸心上に並設することによってＺハンドル７００を構成している。これら粗動ハンドル７００ａ及び微動ハンドル７００ｂは、共通の軸心回りに個別に回転可能であり、Ｚベース部材７０に対して回転した場合、個々の回転方向及び回転量に応じた操作信号を、通信ケーブル７２を通じて後述の制御部１００に出力する。但し、粗動ハンドル７００ａを回転した場合と微動ハンドル７００ｂを回転した場合とでは、それぞれの操作信号に対応した回転量が同一であっても、後述の制御部１００において、実際の回転量よりも粗動ハンドル７００ａの回転量を増大する一方、微動ハンドル７００ｂの回転量を減少する処理を行うように設定してある。例えば、本実施の形態では、粗動ハンドル７００ａが回転された場合にその回転量を２倍とする一方、微動ハンドル７００ｂが回転された倍にその回転量を１／２倍とする処理を行うようにしている。図には明示していないが、これらＺハンドル７００は、ネジ等の取付手段を締結させることによってＺベース部材７０に着脱可能に取り付けたものであり、取付手段を弛緩させれば、Ｚベース部材７０から個別に取り外すことが可能である。
【００３７】
また、Ｚベース部材７０には、Ｚハンドル７００が取り付けられた一対の側面７１の間に位置する前面（以下、「基準前面７３」という）に多数の機能スイッチ７４が設けてある一方、その設置面を構成する下面７０ａに収容部（連結部）７５が設けてある。機能スイッチ７４は、顕微鏡に設けられた複数の機能を実行するための押ボタンであり、Ｚベース部材７０に対して押圧操作された場合にそれぞれに対応した別個の機能信号を、通信ケーブル７２を通じて後述の制御部１００に出力する。本実施の形態では、機能スイッチ７４が押圧操作された場合、後述の制御部１００を介し、顕微鏡本体１０に対してレボルバ２１を回転させる機能、観察側ターレット５０１を回転させる機能、透過照明光学系４０及び落射照明光学系５０を切り替える機能、ポラライザターレット４０７を回転させる機能、コンデンサレンズ先玉４０３の挿入・待避を切り替える機能、視野絞り４３を開閉する機能、コンデンサターレット４０６を回転させる機能、コンデンサ４００をＺ軸方向に移動させる機能、等々の各種機能を実行できるように設定してある。
【００３８】
収容部７５は、Ｚベース部材７０の下面７０ａにおいて一対の側面７１の間に渡る部位に形成した溝状の凹部であり、ＸＹベース部材６０の一部を嵌合することのできる大きさに形成してある。
【００３９】
このＺベース部材７０は、設置面となる下面７０ａを介して載置台等の被載置面Ｍに設置した場合、Ｚハンドル７００の回転軸心が被載置面Ｍに平行となる姿勢で自立することが可能である。従って、この状態においては、一対の側面７１に配設したＺハンドル７００をそれぞれ操作することができると共に、Ｚベース部材７０に設けた機能スイッチ７４を操作することができる。
【００４０】
また、Ｚベース部材７０の収容部７５にＸＹベース部材６０を嵌合させ、この状態から両者間に図示せぬネジ等の取付手段を締結させれば、図５、図６−１、図６−２に示すように、Ｚベース部材７０とＸＹベース部材６０とを互いに連結させた連結体を構成することが可能である。この状態においては、ＸＹベース部材６０に設けたＸＹ操作軸部材６０１が一方のＺハンドル７００からわずかに離隔した位置において鉛直上方に向いた姿勢に配置されることになる。ＸＹハンドル６００の回転軸心とＺハンドル７００の回転軸心とは互いに直交した状態となる。この状態においても、一対の側面７１に配設したＺハンドル７００をそれぞれ操作することが可能であるばかりでなく、一方のＺハンドル７００に近接したＸＹハンドル６００を直ちに操作することが可能である。しかも、図６−１及び図６−２に示すように、基準前面７３を基準とした場合、ＸＹハンドル６００に近接するＺハンドル７００は、Ｚベース部材７０に対するＸＹベース部材６０の取付方向によって任意に設定することが可能である。さらに、この状態から一方のＺハンドル７００をＺベース部材７０から取り外せば、図７に示すように、互いに近接したＸＹハンドル６００及びＺハンドル７００を備えたＸＹベース部材６０及びＺベース部材７０の連結体を構成することができる。
【００４１】
またさらに、ＸＹベース部材６０においてＸＹハンドル６００を設けた上面をＺベース部材７０の上面（連結部）に当接させた状態で両者間に図示せぬネジ等の取付手段を締結させれば、図８に示すように、ＸＹ操作軸部材６０１が一方のＺハンドル７００からわずかに離隔した位置において鉛直下方に向いた姿勢に配置されることになる。ＸＹハンドル６００の回転軸心とＺハンドル７００の回転軸心とは互いに直交した状態となる。この状態においても、一対の側面７１に配設したＺハンドル７００をそれぞれ操作することが可能であるばかりでなく、一方のＺハンドル７００に近接したＸＹハンドル６００を直ちに操作することが可能である。図には明示していないものの、基準前面７３を基準とした場合、ＸＹハンドル６００に近接するＺハンドル７００は、図８に示す状態においてもＺベース部材７０に対するＸＹベース部材６０の取付方向によって任意に設定することが可能である。
【００４２】
これに対して、図１に示すように、嵌合突起１７ａを収容部７５に嵌合させた状態でＺベース部材７０を保持部１７に配置し、この状態で両者間に図示せぬネジ等の取付手段を締結させれば、Ｚベース部材７０を下方基部１１の前端部に連結した状態に維持することができる。この状態においては、Ｚベース部材７０の両側面７１、基準前面７３、上面がそれぞれ下方基部１１の両側面、前面、上面に合致し、下方基部１１の両側面からそれぞれＺハンドル７００が突出すると共に、機能スイッチ７４が下方基部１１の前面から突出することになる。従って、この状態においても、一対の側面に配設したＺハンドル７００をそれぞれ操作することができると共に、Ｚベース部材７０に設けた機能スイッチ７４を操作することができる。尚、取付手段を弛緩させれば、再び下方基部１１からＺベース部材７０を取り外すことが可能である。
【００４３】
図１０は、上述した顕微鏡の制御系を示すブロック図である。制御部１００は、ＸＹハンドル６００、Ｚハンドル７００及び各種機能スイッチ６２，７４から操作信号や機能信号が与えられた場合、予め設定されたプログラムやデータに従って、Ｘ軸方向電動モータ（第１電動アクチュエータ）１０１、Ｙ軸方向電動モータ（第１電動アクチュエータ）１０２、Ｚ軸方向電動モータ（第２電動アクチュエータ）１０３、落射照明光学系５０、透過照明光学系４０、レボルバ用電動モータ１０４の駆動を制御するものである。Ｘ軸方向電動モータ１０１は、駆動した場合にステージホルダ１４に対して標本載置部１８をＸ軸方向に移動させるものであり、Ｙ軸方向電動モータ１０２は、駆動した場合にステージホルダ１４に対して標本載置部１８をＹ軸方向に移動させるものである。Ｚ軸方向電動モータ１０３は、駆動した場合に顕微鏡本体１０の支柱部１２に対してステージホルダ１４をＺ軸方向に移動させるものである。落射照明光学系５０において制御部１００が制御対象とするのは、例えば蛍光照明用光源５１のＯＮ／ＯＦＦ、観察側ターレット５０１を回転させる電動モータ１０５の駆動である。透過照明光学系４０において制御部１００が制御対象とするのは、例えば透過照明用光源４１のＯＮ／ＯＦＦ、コンデンサ４００をＺ軸方向に移動させる電動モータ１０６の駆動、コンデンサターレット４０６を回転させる電動モータ１０７の駆動、コンデンサレンズ先玉４０３を挿入・待避させるための電動アクチュエータ１０８の駆動、ポラライザターレット４０７を回転させる電動モータ１０９の駆動である。
【００４４】
ＸＹハンドル６００から操作信号が入力された場合、制御部１００は、個々の回転方向及び回転量に応じてＸ軸方向電動モータ１０１及びＹ軸方向電動モータ１０２を駆動し、ステージホルダ１４に対する標本載置部１８の位置を変更する。ＸＹベース部材６０の機能スイッチ６２から機能信号が入力された状態でＸＹハンドル６００から操作信号が入力された場合、制御部１００は、個々の回転量を２倍し、この２倍した回転量に基づいてＸ軸方向電動モータ１０１及びＹ軸方向電動モータ１０２を駆動することにより、ステージホルダ１４に対する標本載置部１８の位置を変更する。本実施の形態では、落射照明光路Ｌ２に挿入された対物レンズ２０が顕微鏡本体１０の上方アーム部１３に対してＸ軸方向及びＹ軸方向に移動できる構成にない。これにより、ステージホルダ１４に対して標本載置部１８の位置を変更した場合には、ステージ１５に対する対物レンズ２０の対向位置が変更されることになる。
【００４５】
Ｚハンドル７００から操作信号が入力された場合、制御部１００は、その回転方向及び回転量に応じてＺ軸方向電動モータ１０３を駆動し、支柱部１２に対するステージホルダ１４の位置を変更する。但し、粗動ハンドル７００ａから操作信号が入力された場合には、粗動ハンドル７００ａの回転量を２倍し、この２倍した回転量に基づいてＺ軸方向電動モータ１０３を駆動する一方、微動ハンドル７００ｂから操作信号が入力された場合には、微動ハンドル７００ｂの回転量を１／２倍し、この１／２倍した回転量に基づいてＺ軸方向電動モータ１０３を駆動するようにしている。本実施の形態では、落射照明光路Ｌ２に挿入された対物レンズ２０が顕微鏡本体１０の上方アーム部１３に対してＺ軸方向に移動できる構成にない。これにより、支柱部１２に対してステージホルダ１４の位置を変更した場合には、ステージ１５から対物レンズ２０までの距離が変更されることになる。
【００４６】
Ｚベース部材７０の機能スイッチ７４から機能信号が入力された場合、制御部１００は、落射照明光学系５０、透過照明光学系４０、レボルバ用電動モータ１０４の駆動を適宜制御することにより、各機能スイッチ７４に設定された機能を実行する。制御部１００が実行する機能は、例えば顕微鏡本体１０に対してレボルバ２１を回転させる機能、観察側ターレット５０１を回転させる機能、透過照明光学系４０及び落射照明光学系５０を切り替える機能、ポラライザターレット４０７を回転させる機能、コンデンサレンズ先玉４０３の挿入・待避を切り替える機能、視野絞り４３を開閉する機能、コンデンサターレット４０６を回転させる機能、コンデンサ４００をＺ軸方向に移動させる機能である。
【００４７】
上記のように構成した顕微鏡では、ＸＹベース部材６０をステージホルダ１４に連結し、かつＺベース部材７０を下方基部１１の保持部１７に連結させた場合、図１１に示すように、ＸＹハンドル６００及びＺハンドル７００の双方が顕微鏡本体１０に配設された状態となる。従って、この状態の顕微鏡では、従前の顕微鏡と同様、ＸＹハンドル６００及びＺハンドル７００を操作すれば、標本載置部１８に載置された標本Ｐを観察ユニット３０の接眼レンズ３３により、目視で観察することができる。
【００４８】
一方、図１２に示すように、ＸＹベース部材６０及びＺベース部材７０をそれぞれ顕微鏡本体１０から取り外せば、それぞれを被載置面Ｍの最適操作位置に載置させた状態で接眼レンズ３３により、目視での観察を行うことができる。具体的には、顕微鏡本体１０に対して正面向かって左側にＸＹベース部材６０を載置し、かつ正面向かって右側にＺベース部材７０を載置させる使用態様と、顕微鏡本体１０に対して正面向かって左側にＺベース部材７０を載置し、かつ正面向かって右側にＸＹベース部材６０を載置させる使用態様とを任意に変更することができるため、観察者が右利きであっても左利きであってもＸＹハンドル６００及びＺハンドル７００の操作性を向上させることができる。また、接眼レンズ３３の位置に関わりなくＸＹハンドル６００及びＺハンドル７００を顕微鏡本体１０に対して前方側や後方側に載置させることができ、観察者の体格が大柄であるか小柄であるかに関わらず、ＸＹハンドル６００及びＺハンドル７００に良好な操作性を確保することができる。
【００４９】
この図１２に示す状態においては、Ｚハンドル７００の一方をＺベース部材７０から取り外すことにより、Ｚベース部材７０を顕微鏡本体１０により近づけた位置に載置させることも可能となる。
【００５０】
また、顕微鏡本体１０から取り外したＸＹベース部材６０及びＺベース部材７０を互いに連結した場合には、図１３及び図１４に示すように、被載置面Ｍに対するフットプリントが小さくなる。このため、例えば外部モニタＤ上で観察を行う場合、パソコンのキーボードＫＢやマウスＭＳの載置域を十分に確保した状態で標本Ｐの観察を外部モニタＤで行うことが可能となる。この場合、ＸＹベース部材６０とＺベース部材７０との連結態様に応じて、図５、図６−１、図６−２、図８に示すように、Ｚベース部材７０を基準としたＸＹハンドル６００の位置並びに向きを任意に設定することができるため、操作者の利き手や体格に関わらず、操作性を確保することができる。さらに、ＸＹベース部材６０及びＺベース部材７０を互いに連結した状態においては、ＸＹハンドル６００及びＺハンドル７００を片手で操作することが可能であり、図１３に示すように、もう一方の手でマウスＭＳやキーボードＫＢの操作を同時に行うことができるようになる。
【００５１】
以上説明したように、上述の顕微鏡は、顕微鏡本体１０に対して個別に着脱可能、かつ顕微鏡本体１０から取り外した状態において相互に連結可能となるＸＹベース部材６０及びＺベース部材７０を設け、ＸＹハンドル６００をＸＹベース部材６０に設ける一方、Ｚハンドル７００をＺベース部材７０に設けるようにしている。従って、別途ドック等の追加部品を要することなく顕微鏡本体１０から取り外した状態でＸＹハンドル６００やＺハンドル７００の操作が可能となる。しかも、ＸＹベース部材６０及びＺベース部材７０は相互に連結可能であるため、コストの増大や取り扱いの煩雑化を招来することなく、片手での操作性及び両手での操作性を共に確保することができる。
【００５２】
尚、上述した実施の形態では、顕微鏡本体１０に対してステージ１５を移動させることによってステージ１５に対する対物レンズ２０の対向位置及びステージ１５から対物レンズ２０までの距離を変更するものを例示しているが、顕微鏡本体１０に対して対物レンズ２０を移動可能に配設し、対物レンズ２０を移動させるようにしたものにももちろん適用することが可能である。
【符号の説明】
【００５３】
１０      顕微鏡本体
１１      下方基部
１２      支柱部
１３      上方アーム部
１５      ステージ
１７      保持部
１８      標本載置部
１８ａ      標本載置面
２０      対物レンズ
６０      Ｚベース部材
６０ａ      下面
６２，７４      各種機能スイッチ
７０      ＸＹベース部材
７０ａ      下面
７１      側面
７３      基準前面
７５      収容部
１０１      Ｘ軸方向電動モータ
１０２      Ｙ軸方向電動モータ
１０３      Ｚ軸方向電動モータ
６００      Ｚハンドル
６１０      スタンド
７００      ＸＹハンドル
Ｍ      被載置面
Ｐ      標本
【図１】
0005570804.tif 000002
【図２】
0005570804.tif 000003
【図３】
0005570804.tif 000004
【図４】
0005570804.tif 000005
【図５】
0005570804.tif 000006
【図６−１】
0005570804.tif 000007
【図６−２】
0005570804.tif 000008
【図７】
0005570804.tif 000009
【図８】
0005570804.tif 000010
【図９】
0005570804.tif 000011
【図１０】
0005570804.tif 000012
【図１１】
0005570804.tif 000013
【図１２】
0005570804.tif 000014
【図１３】
0005570804.tif 000015
【図１４】
0005570804.tif 000016